(57)【要約】【課題】ジャムが生じた場合に、写真フィルムにキズをつけることなく、かつ、写真フィルムの搬送系を停止させなくてもすむ写真フィルムのジャム検出機構を提供すること。【解決手段】搬送経路に沿って搬送されてくる写真フィルムを巻き取りスプール２に巻き取る巻き取り部１と、搬送経路をカバーするカバー部１７とを有するネガキャリアに用いられ、ネガフィルムを巻き取りスプール２に巻き取るにあたり、ネガフィルムのジャムを検出するジャム検出機構であって、カバー部１７に設けられた開閉可能な開閉カバー１８と、この開閉カバー１８を開方向に付勢するスプリング１９と、この開閉カバー１８を閉状態にロックするロック部材２１と、ジャムが発生した時に、ネガフィルムに押されて変位する押圧ローラ機構３とを備え、押圧ローラ機構３の変位により、ロック部材２１のロックを解除して、開閉カバー１８を開状態にし、ネガフィルムが逃げる空間を形成可能に構成した。【選択図】　　図１
2004037693.tif 000002
【特許請求の範囲】
【請求項１】
搬送経路に沿って搬送されてくる写真フィルムを巻き取りスプールに巻き取る巻き取り部と、搬送経路をカバーするカバー部とを有する写真フィルム搬送ユニットに用いられ、写真フィルムを前記巻き取りスプールに巻き取るにあたり、写真フィルムのジャムを検出するジャム検出機構であって、
前記カバー部に設けられた開閉可能な開閉カバーと、
この開閉カバーを開方向に付勢するバネ部材と、
この開閉カバーを閉状態にロックするロック機構と、
ジャムが発生した時に、写真フィルムに押されて変位する変位部材とを備え、
前記変位部材の変位により、前記ロック機構のロックを解除して、前記開閉カバーを開状態にし、写真フィルムが逃げる空間を形成可能に構成したことを特徴とする写真フィルムのジャム検出機構。
【請求項２】
写真フィルムを前記巻き取りスプールに巻き付けていくための押圧ローラ機構を備え、この押圧ローラ機構が前記変位部材として機能することを特徴とする請求項１に記載の写真フィルムのジャム検出機構。
【発明の詳細な説明】
【０００１】
【発明の属する技術分野】
本発明は、搬送経路に沿って搬送されてくる写真フィルムを巻き取りスプールに巻き取る巻き取り部と、搬送経路をカバーするカバー部とを有する写真フィルム搬送ユニットに用いられ、写真フィルムを前記巻き取りスプールに巻き取るにあたり、写真フィルムのジャムを検出するジャム検出機構に関する。
【０００２】
【従来の技術】
現像済みの写真フィルムに形成されているコマ画像を読み取るために写真フィルム搬送ユニット（以下、「搬送ユニット」と略す。）が用いられている。この搬送ユニットの構成の一部を図４，５により説明する。図４（ａ）において、写真フィルムは右側から左側に搬送される。搬送経路の途中に画像読み取り用に開口部（不図示）が形成されている。コマ画像を読み取られた写真フィルムは、巻き取り部１に設けられた巻き取りスプール２に順次巻き取られていく。巻き取りスプール２の周囲には、第１・第２・第３押圧ローラ機構３，４，５が設けられており、写真フィルムが巻き取りスプール２に巻き付くのを容易にしている。これら押圧ローラ機構３，４，５は、それぞれ支点３ａ，４ａ，５ａ周りに回動可能であり、かつ、写真フィルムを巻き取りスプール２に押し付ける方向にバネ部材を作用させている。また、固定されたガイド部材６も設けられている。巻き取り部１に写真フィルムを送り込むための挟持搬送ローラ機構７が設けられている。さらに、巻き取り部１や搬送経路等をカバーするためのカバー部８も設けられている。
【０００３】
以上のような構成によれば、コマ画像を読み取られた写真フィルムは、巻き取りスプール２に巻き取られていき、コマ画像の読み取りが終了すると、巻き取りスプール２をこれまでとは逆方向に回転させて、写真フィルムを巻き取りスプール２から引き出していくようにしている。
【０００４】
ここで写真フィルムの先端形状が予め想定された形状であれば、何の問題もなく巻き取りスプール２に巻き取られていくが、先端形状が想定されていない形状にカットされていると、巻き取りスプール２にうまく巻き取られないことがある。例えば、先端が所定角度以上の斜めにカットされている場合である。この場合、先端が巻き取り部１にて詰まってしまうことがある。この時の様子を説明すると。まず、図４（ｂ）は、写真フィルムの先端が、第２押圧ローラ機構４の支点４ａ近傍で詰まり始めた状況を示している。写真フィルムの詰まりが生じても、これを検出する機構がないので、搬送ローラ機構７は引き続いて写真フィルムを送りつづける。
【０００５】
その結果、図５（ａ）に示すように、写真フィルムにより、第１押圧ローラ機構３がばね力に抗して時計方向に回転させられ、少し持ち上げられた状態になる。この状況が更に進行すると、図５（ｂ）に示すように、写真フィルムがジャム状態となる。かかる状況になると、写真フィルムにキズをつけてしまう問題が生じる。
【０００６】
そこで、かかる問題を解決するため、特開平７−１９６２０５号公報に開示されるウェブのジャム検知装置が知られている。この装置はウェブ（写真フィルム）にジャムが生じた場合に、これを検知するジャム検知用センサを設けておき、ジャムを検知すると、写真フィルムの搬送系を停止させる。これにより、写真フィルムにキズが生じるのを防止している。
【０００７】
【発明が解決しようとする課題】
しかしながら、写真フィルムの搬送系を強制的に停止させるため、それまで読み取った画像データを利用できないので、ジャムが発生した写真フィルムについては、再度、最初からコマ画像の読み取りを行わなければならない。その分、写真処理の効率が低下する。
【０００８】
本発明は上記実情に鑑みてなされたものであり、その課題は、ジャムが生じた場合に、写真フィルムにキズをつけることなく、かつ、写真フィルムの搬送系を停止させなくてもすむ写真フィルムのジャム検出機構を提供することである。
【課題を解決するための手段】
上記課題を解決するため本発明に係る写真フィルムのジャム検出機構は、
搬送経路に沿って搬送されてくる写真フィルムを巻き取りスプールに巻き取る巻き取り部と、搬送経路をカバーするカバー部とを有する写真フィルム搬送ユニットに用いられ、写真フィルムを前記巻き取りスプールに巻き取るにあたり、写真フィルムのジャムを検出するジャム検出機構であって、
前記カバー部に設けられた開閉可能な開閉カバーと、
この開閉カバーを開方向に付勢するバネ部材と、
この開閉カバーを閉状態にロックするロック機構と、
ジャムが発生した時に、写真フィルムに押されて変位する変位部材とを備え、前記変位部材の変位により、前記ロック機構のロックを解除して、前記開閉カバーを開状態にし、写真フィルムが逃げる空間を形成可能に構成したことを特徴とするものである。
【０００９】
この構成による写真フィルムのジャム検出機構の作用・効果は、以下の通りである。すなわち、　写真フィルムを巻き取りスプールに順次巻き取っていくにあたり、もし、ジャムが生じたとすると、写真フィルムに押されて変位する変位部材を設けている。一方、搬送経路をカバーするカバー部には、開閉可能な開閉カバーが設けられており、正常な状態では、ロック機構により閉状態にロックされている。そして、ジャムが発生すると、写真フィルムに押されて変位部材が変位し、ロック機構によるロックを解除する。これにより、開閉カバーが開状態になる。開閉カバーが開くと、写真フィルムが逃げる空間ができるため、ジャムを解消することができる。また、写真フィルムを搬送ローラ機構により巻き取り部へと引き続いて送り込んでも、写真フィルムは開閉カバーの外へ逃げていくことができるので、写真フィルムに無理な力が作用して傷をつけることもない。その結果、ジャムが生じた場合に、写真フィルムにキズをつけることなく、かつ、写真フィルムの搬送系を停止させなくてもすむ写真フィルムのジャム検出機構を提供することができる。
【００１０】
本発明の好適な実施形態として、写真フィルムを前記巻き取りスプールに巻き付けていくための押圧ローラ機構を備え、この押圧ローラ機構が前記変位部材として機能するものがあげられる。
【００１１】
かかる押圧ローラ機構を変位部材として機能させることで、専用の変位部材を設けなくて済み、構成を簡素化することができる。
【００１２】
【発明の実施の形態】
本発明に係る写真フィルムのジャム検出機構の好適な実施形態を図面を用いて説明する。図１は、ジャム検出機構を備えた、ネガキャリア１０（フィルム搬送ユニット）の構成を示す断面図である。
【００１３】
＜ネガキャリアの構成＞
ネガキャリア１０の巻き取り部１の構成は、既に説明した図４，５とほぼ同じである。したがって、同じ図番を付して説明は省略する。図１の右側には、現像済みのネガフィルムを収容したカートリッジ２０が収容される。カートリッジ２０は、例えば、ＡＰＳによるカートリッジである。カートリッジ２０から引き出されたネガフィルムは、図１の矢印Ａ方向に搬送経路に沿って搬送される。搬送経路に沿って、複数の挟持搬送ローラ機構７が設けられており、不図示の電動モータにより駆動される。また、引き出されたネガフィルムの先端やパーフォレーションを検出するための光センサー１１や、ネガフィルムに形成されている磁気記録層から磁気データを読み取るための磁気ヘッド１２も配置されている。
【００１４】
搬送経路の途中には開口部１３が形成されている。この開口部１３において、搬送経路と直交する方向に読み取り用の光軸Ｌが形成される。この光軸Ｌ上に、読み取り用の光源１４と、読み取り用のラインセンサー１５等が配置されている。すなわち、　ネガフィルムを搬送経路に沿って一定速度で搬送させながら、ネガフィルムの画像を１ラインずつスキャニングして取り込むことができる。取り込まれた画像データは、記憶装置に記憶され、写真プリント作成のために利用される。
【００１５】
開口部１３を介して画像を取り込まれたネガフィルムは、巻き取り部１に送り込まれて巻き取りスプール２に巻き取られることになる。巻き取り部１の更に下流側には、排出ローラ機構１６が設けられている。この排出ローラ機構１６は、ネガフィルムを巻き取り部１にて巻き取らず、そのままネガキャリア１０の外部に排出する場合に利用される。
【００１６】
搬送経路の上方には、搬送経路、巻き取り部１等をカバーするためのカバー部１７が設けられている。カバー部１７には、開閉可能な小さな開閉カバー１８が設けられており、支点１８ａ周りに回転可能である。また、支点１８ａの位置には、スプリング１９が設けられており、開閉カバー１８を開方向に（図の反時計方向に）付勢している。開閉カバー１８の先端部には係合爪１８ｂが形成されている。
【００１７】
開閉カバー１８の係合爪１８ｂ（図３参照）と係合可能なロック部材２１が設けられている。ロック部材２１には、係合爪１８ｂと係合する被係合爪が形成されている。ロック部材２１には、不図示のばね部材により矢印Ｄ方向に付勢されている。したがって、開閉カバー１８は、係合爪１８ｂと被係合爪（これらはロック機構に相当する）により閉状態に保持される。
【００１８】
＜ジャム検出機構の作用＞
以上のネガキャリア１０の構成において、ネガフィルムにジャムが発生した場合の作用を説明する。ネガフィルムのジャムは、ネガフィルムの先端形状が規定外の形状になっているときに発生しやすい。例えば、先端形状を所定角度以上の斜めにカットした場合である。また、ネガフィルムの先端にスプライステープが付着している場合もあり、これも先端が詰まる可能性がある。
【００１９】
図２は、ネガフィルムの先端部が支点４ａの位置で詰まり、ジャムが生じた状態である。先端は支点４ａの位置で詰まっているので、これ以上前進できないが、ネガフィルムは引き続いて搬送ローラ機構７により送り込まれてくるので、ネガフィルムにふくらみが生じてくる。これにより、第１押圧ローラ機構３が支点３周りに回転し始める。所定角度回転すると、第１押圧ローラ機構３に設けられた突起部３ｂがロック部材２１を矢印Ｅ方向（図３参照）に押す。これにより、ロックが解除され、開閉カバー１８は、スプリング１９の付勢力により反時計方向に回転し、開閉カバーが開く（図３参照）。
【００２０】
図３に示すように、巻き取り部１の上方には、ネガフィルムＦが逃げることができる十分な空間が形成される。したがって、搬送ローラ機構７によりネガフィルムが送り込まれてきたとしても、ジャムの発生を解消することができ、ネガフィルムにキズを生じさせることがない。また、開閉カバー１８が開いた状態でも、ネガフィルムの画像は引き続いて取り込むことができる。したがって、ジャムが発生した場合でも、あらためて画像データを取り直す必要がないので、いたずらに効率を低下させることがない。
【００２１】
本発明に係る構成においては、開閉カバー１８をスプリング１９の付勢力により開く方向に付勢している。これに対して、開閉カバー１８を自重により閉じ方向に付勢するようにし、スプリング１９を設けない構成も考えられるが、スプリング１９を設けると次のような利点がある。
【００２２】
すなわち、　写真フィルムに詰まりが生じてふくらみが生じると、初期のふくらみ状態では、写真フィルムのコシが強く作用するが、ふくらみが大きくなるにつれてコシは弱くなっていく。したがって、この写真フィルム自身のふくらみの力により開閉カバー１８を押し開く構成は確実性に欠けることになる。また、写真フィルムに対してもストレスをかけてしまうことになる。
【００２３】
そこで、本発明においては、ふくらみ初期のコシの強さを利用して、第１押圧ローラ機構（変位部材）を変位させるようにする。そして、この第１押圧ローラ機構の変位により開閉カバー１８のロックを解除させ、スプリング１９の付勢力により、開閉カバー１８を一気に全開状態にさせ、写真フィルムが退避するのに十分なスペースを確保するようにしている。これにより、開閉カバー１８の開放を確実に行わせ、写真フィルムに対してストレスがかかるのを抑制している。
【００２４】
＜別実施形態＞
（１）本実施形態では、ネガキャリアにカートリッジを装填することで、ネガフィルムのセットを行っているが、ネガフィルムを直接、搬送経路に挿入するような構成を採用しても良い。
【００２５】
（２）本実施形態では、ネガフィルムの画像を読み取るためのネガキャリアにジャム検出機構を用いているが、ネガフィルム（写真フィルム）の画像をペーパーに投影露光するためのネガキャリアに本発明に係るジャム検出機構を用いても良い。
【図面の簡単な説明】
【図１】ネガキャリアの構成を示す断面図
【図２】ジャム検出機構の作用を示す図（１）
【図３】ジャム検出機構の作用を示す図（２）
【図４】従来技術にかかるネガキャリアの構成及び作用を示す図（１）
【図５】従来技術にかかるネガキャリアの構成及び作用を示す図（２）
【符号の説明】
１　　　　巻き取り部
２　　　　巻き取りスプール
３，４，５　　　押圧ローラ機構
７　　　　搬送ローラ機構
８　　　　カバー部
１０　　　ネガキャリア
１７　　　カバー部
１８　　　開閉カバー
１８ａ　　支点
１８ｂ　　係合爪
１９　　　スプリング
２１　　　ロック部材
【図１】
2004037693.tif 000003
【図２】
2004037693.tif 000004
【図３】
2004037693.tif 000005
【図４】
2004037693.tif 000006
【図５】
2004037693.tif 000007